(57)【要約】      （修正有）【課題】ミュート部を駆動する駆動部と発光部とを備えるオーディオ装置において、スタンバイ状態における消費電力を低減すること。【解決手段】スタンバイ状態において、ＬＥＤ端子からの信号によってトランジスタＱ４２３がオン状態とされる。これにより、スタンバイ電源回路１０６からの電圧が、ＬＥＤ７０１及びミュート部１０２の各トランジスタのベースに供給される。その結果、ＬＥＤ７０１を発光させるための電流によって各トランジスタがオン状態に制御される。従って、スタンバイ電源回路１０６からの同一の電圧によって、ＬＥＤ７０１と各トランジスタとを同時に制御するので、消費電力を低減することができる。【選択図】図３
2009089106.tif 000002
【特許請求の範囲】
【請求項１】
第１制御信号および第２制御信号を出力する制御手段と、
ミュートトランジスタを有し、入力信号の後段への出力を遮断するミュート状態、及び、入力信号の後段への出力を許可するミュート解除状態を有するミュート部と、
駆動トランジスタを有し、該駆動トランジスタの動作によって、該ミュート部のミュート状態及びミュート解除状態を制御し、かつ、ＬＥＤを有し、スタンバイ状態において該制御手段からの第１制御信号を受けて該ＬＥＤを発光させる駆動発光部とを備え、
電源オン状態において、該駆動トランジスタにメイン電源回路からの電圧が供給されることにより、該第２制御信号に応じて、該駆動トランジスタがオンオフ動作して、該ミュートトランジスタをオンオフ制御し、
スタンバイ状態において、該駆動トランジスタに該ＬＥＤを介して該第１制御信号が供給されることにより、該第２制御信号に応じて該駆動トランジスタがオンオフ動作して、該ミュートトランジスタをオンオフ制御し、かつ、該ＬＥＤを発光させる、オーディオ装置。
【請求項２】
前記駆動トランジスタのエミッタが、前記ＬＥＤのカソードに接続され、かつ、前記メイン電源回路に接続されており、
該駆動トランジスタのコレクタが第１抵抗を介して前記ミュートトランジスタのベースに接続されている、請求項１に記載のオーディオ装置。
【請求項３】
前記駆動発光部が、第２駆動トランジスタをさらに有し、
該第２駆動トランジスタが、コレクタが前記駆動トランジスタのベースに接続され、エミッタが接地され、ベースには前記第２制御信号が供給される、請求項２に記載のオーディオ装置。
【請求項４】
第１制御信号および第２制御信号を出力する制御手段と、
ミュートトランジスタを有し、入力信号の後段への出力を遮断するミュート状態、及び、入力信号の後段への出力を許可するミュート解除状態を有するミュート部と、
第１駆動トランジスタおよび第２駆動トランジスタを有し、該第１駆動トランジスタおよび該第２駆動トランジスタの動作によって、該ミュート部のミュート状態及びミュート解除状態を制御し、かつ、ＬＥＤを有し、スタンバイ状態においてスタンバイ電源回路から電圧を受けて該ＬＥＤを発光させる駆動発光部とを備え、
電源オン状態において、該第１駆動トランジスタにメイン電源回路からの電圧が供給されることにより、該第２制御信号に応じて、該第１駆動トランジスタがオンオフ動作して、該ミュートトランジスタをオンオフ制御し、
スタンバイ状態において、該第１制御信号によって該第２駆動トランジスタがオン状態とされることにより、該スタンバイ電源回路からの電圧が該ＬＥＤを介して該ミュートトランジスタに供給され、該ミュートトランジスタをオン状態にし、該ＬＥＤを発光させる、オーディオ装置。
【請求項５】
前記第１駆動トランジスタのエミッタが前記メイン電源回路に接続されており、
該第１駆動トランジスタのコレクタが第１抵抗を介して前記ミュートトランジスタのベースに接続されており、
前記第２駆動トランジスタのコレクタが前記ＬＥＤのアノードに接続され、
該第２駆動トランジスタのエミッタが前記スタンバイ電源回路に接続され、
該第２駆動トランジスタのベースには、前記第１制御信号が供給され、
該ＬＥＤのカソードが、該ミュートトランジスタのベースに接続されている、請求項４に記載のオーディオ装置。
【請求項６】
前記駆動発光部が、第３駆動トランジスタをさらに有し、
該第３駆動トランジスタが、コレクタが前記第１駆動トランジスタのベースに接続され、エミッタが接地され、ベースには前記第２制御信号が供給される、請求項５に記載のオーディオ装置。
【発明の詳細な説明】
【技術分野】
【０００１】
本発明は、ミュート部を駆動する駆動部と、スタンバイ状態において点灯するＬＥＤとを含むオーディオ装置に関する。
【背景技術】
【０００２】
図５は、従来のオーディオ装置３００を示す概略回路図である。オーディオ装置３００は、バッファ部３０１と、ミュート部３０２と、出力部３０３と、駆動部３０４と、発光部３０５とを含む。
【０００３】
ミュート部３０２は、図示しないアンプ部から入力さる入力信号（オーディオ信号）がバッファ部３０１を介して入力され、オーディオ信号をミュート状態又はミュート解除状態にする。ミュート部３０２は、トランジスタＱ５０３〜Ｑ５０６を含み、駆動部３０４からハイレベルの電圧が各トランジスタのベースに供給されることにより、各トランジスタがオン状態になり、ミュート状態になる。
【０００４】
駆動部３０４は、ミュート部３０２の各トランジスタをオン状態又はオフ状態に制御するためのトランジスタＱ４２１及びＱ４２２を含む。電源オン状態の時には、メイン電源回路から電圧＋ＶＣＣがトランジスタＱ４２２のエミッタに供給され、マイコン１０５のミュート端子からハイレベルの信号がトランジスタＱ４２１のベースに供給されることにより、トランジスタＱ４２１およびＱ４２２がオン状態になる。その結果、メイン電源回路からの電圧＋ＶＣＣがミュート部３０２の各トランジスタのベースに供給され、各トランジスタがオン状態になる。一方、オーディオ装置３００の電源がスタンバイ状態の時には、メイン電源回路からの電圧の代わりに、スタンバイ電源回路１０６から電圧が供給されて、上記と同様の動作を実行する。
【０００５】
発光部３０５は、スタンバイ状態の時に発光するＬＥＤ７０１、および、抵抗Ｒ７２２を含む。スタンバイ状態において、ＬＥＤ７０１にはスタンバイ電源回路１０６によって電源供給されているマイコン１０５のＬＥＤ端子からハイレベルの信号が供給され、ＬＥＤ７０１に電流が流れて、ＬＥＤ７０１が発光する。
【０００６】
従来のオーディオ装置３００においては、スタンバイ状態において、発光部３０５にマイコン１０５のＬＥＤ端子からハイレベルの信号が供給され抵抗Ｒ７２２で電力が発生しており、かつ、駆動部３０４のトランジスタＱ４２２及び抵抗Ｒ４２３にスタンバイ電源回路１０６から電圧が供給されて電力が発生しているので、スタンバイ状態における消費電力が増大するという問題がある。すなわち、抵抗Ｒ７２２と、抵抗Ｒ４２３およびトランジスタＱ５０３〜Ｑ５０６で消費電力が生じ、消費電力が増大するという問題がある。
【０００７】
【特許文献１】特開平５−１４０６１号
【発明の開示】
【発明が解決しようとする課題】
【０００８】
本発明は上記従来の課題を解決するためになされたものであり、その目的は、ミュート部のトランジスタを駆動する駆動部と発光部とを備えるオーディオ装置において、スタンバイ状態における消費電力を低減できるオーディオ装置を提供することである。
【課題を解決するための手段】
【０００９】
本発明の好ましい実施形態によるオーディオ装置は、第１制御信号および第２制御信号を出力する制御手段と、ミュートトランジスタを有し、入力信号の後段への出力を遮断するミュート状態、及び、入力信号の後段への出力を許可するミュート解除状態を有するミュート部と、駆動トランジスタを有し、該駆動トランジスタの動作によって、該ミュート部のミュート状態及びミュート解除状態を制御し、かつ、ＬＥＤを有し、スタンバイ状態において該制御手段からの第１制御信号を受けて該ＬＥＤを発光させる駆動発光部とを備える。電源オン状態において、該駆動トランジスタにメイン電源回路からの電圧が供給されることにより、該第２制御信号に応じて、該駆動トランジスタがオンオフ動作して、該ミュートトランジスタをオンオフ制御し、スタンバイ状態において、該駆動トランジスタに該ＬＥＤを介して該第１制御信号が供給されることにより、該第２制御信号に応じて該駆動トランジスタがオンオフ動作して、該ミュートトランジスタをオンオフ制御し、かつ、該ＬＥＤを発光させる。
【００１０】
スタンバイ状態において、ＬＥＤを発光させるための第１制御信号が駆動トランジスタにも供給され、第１制御信号によって駆動トランジスタが動作される。従って、ＬＥＤに電流を流すための抵抗と、駆動トランジスタに電流を流すための抵抗を共通化でき、スタンバイ状態における消費電力を低減することができる。
【００１１】
好ましい実施形態においては、前記駆動トランジスタのエミッタが、前記ＬＥＤのカソードに接続され、かつ、前記メイン電源回路に接続されており、該駆動トランジスタのコレクタが第１抵抗を介して前記ミュートトランジスタのベースに接続されている。
【００１２】
好ましい実施形態においては、前記駆動発光部が、第２駆動トランジスタをさらに有し、該第２駆動トランジスタが、コレクタが前記駆動トランジスタのベースに接続され、エミッタが接地され、ベースには前記第２制御信号が供給される。
【００１３】
本発明の別の好ましい実施形態によるオーディオ装置は、第１制御信号および第２制御信号を出力する制御手段と、ミュートトランジスタを有し、入力信号の後段への出力を遮断するミュート状態、及び、入力信号の後段への出力を許可するミュート解除状態を有するミュート部と、第１駆動トランジスタおよび第２駆動トランジスタを有し、該第１駆動トランジスタおよび該第２駆動トランジスタの動作によって、該ミュート部のミュート状態及びミュート解除状態を制御し、かつ、ＬＥＤを有し、スタンバイ状態においてスタンバイ電源回路から電圧を受けて該ＬＥＤを発光させる駆動発光部とを備える。電源オン状態において、該第１駆動トランジスタにメイン電源回路からの電圧が供給されることにより、該第２制御信号に応じて、該第１駆動トランジスタがオンオフ動作して、該ミュートトランジスタをオンオフ制御し、スタンバイ状態において、該第１制御信号によって該第２駆動トランジスタがオン状態とされることにより、該スタンバイ電源回路からの電圧が該ＬＥＤを介して該ミュートトランジスタに供給され、該ミュートトランジスタをオン状態にし、該ＬＥＤを発光させる。
【００１４】
スタンバイ状態において、第１制御信号によって第２駆動トランジスタがオン状態とされる。これにより、スタンバイ電源回路からの電圧が、ＬＥＤ及びミュートトランジスタに供給される。その結果、ＬＥＤを発光させるための電流によってミュートトランジスタがオン状態に制御される。従って、スタンバイ電源回路からの同一電圧によって、ＬＥＤとミュートトランジスタとを同時に制御するので、消費電力を低減することができる。
【００１５】
好ましい実施形態においては、前記第１駆動トランジスタのエミッタが前記メイン電源回路に接続されており、該第１駆動トランジスタのコレクタが第１抵抗を介して前記ミュートトランジスタのベースに接続されており、前記第２駆動トランジスタのコレクタが前記ＬＥＤのアノードに接続され、該第２駆動トランジスタのエミッタが前記スタンバイ電源回路に接続され、該第２駆動トランジスタのベースには、前記第１制御信号が供給され、該ＬＥＤのカソードが、該ミュートトランジスタのベースに接続されている。
【００１６】
好ましい実施形態においては、前記駆動発光部が、第３駆動トランジスタをさらに有し、該第３駆動トランジスタが、コレクタが前記第１駆動トランジスタのベースに接続され、エミッタが接地され、ベースには前記第２制御信号が供給される。
【発明の効果】
【００１７】
スタンバイ状態において、ＬＥＤを発光させる電圧を利用して、ミュート部を駆動させる駆動発光部の駆動トランジスタを動作せることができるので、スタンバイ状態における消費電力を削減することができる。
【発明を実施するための最良の形態】
【００１８】
［実施例１］
以下、本発明の好ましい実施形態について、図面を参照して具体的に説明するが、本発明はこれらの実施形態には限定されない。図１は、本発明の好ましい実施形態によるオーディオ装置１００を示す要部回路図である。オーディオ装置１００は、例えば、ＡＶアンプやＡＶレシーバ等の増幅装置である。
【００１９】
オーディオ装置１００は、バッファ部１０１と、ミュート部１０２と、出力部１０３と、駆動発光部１０４とを概略備えている。また、オーディオ装置１００は、マイコン１０５（図では便宜上、ＬＥＤ端子とミュート端子とに２つに分けて記載している）、スタンバイ電源回路１０６およびメイン電源回路１０７を備えている。オーディオ装置１００は、電源の動作状態として、メイン電源回路１０７及びスタンバイ電源回路１０６が共に動作している電源オン状態（通常の動作状態）と、スタンバイ電源回路１０６のみが動作しているスタンバイ状態と、メイン電源回路１０７及びスタンバイ電源回路１０６が共に動作していない電源オフ状態とを有している。
【００２０】
バッファ部１０１は、図示しない前段のアンプ部から入力さる入力信号（オーディオ信号）を、バッファＱ５０１Ａ及びＱ５０１Ｂでそれぞれバッファして、後段のミュート部１０２に出力する。
【００２１】
ミュート部１０２は、駆動発光部１０４から供給される駆動電圧に応じて、バッファ部１０１から入力されるオーディオ信号をミュート状態又はミュート解除状態にする。ミュート状態は、出力部１０３にオーディオ信号を出力しない状態であり、ミュート解除状態は、出力部１０３にオーディオ信号を出力する状態である。ミュート部１０２は、例えば、ｎｐｎ型トランジスタＱ５０３〜Ｑ５０６、抵抗Ｒ５０７〜Ｒ５１２を含む。各トランジスタのベースは駆動発光部１０４の出力端（抵抗Ｒ４２３）に接続され、各エミッタは接地され、各コレクタは各信号ラインに接続されている。ミュート部１０２は、駆動発光部１０４から導通開始電圧が各トランジスタのベースに供給されると、各トランジスタがオン状態になり、ミュート状態になる。また、各トランジスタのベースに供給される電圧が導通開始電圧未満になると、各トランジスタがオフ状態になり、ミュート解除状態になる。
【００２２】
駆動発光部１０４は、ミュート部１０２の各トランジスタＱ５０３〜Ｑ５０６のベース電圧を制御して、トランジスタのオン状態又はオフ状態を制御することにより、ミュート部１０２のミュート状態およびミュート解除状態を切り換える。また、駆動発光部１０４は、発光手段であるＬＥＤ（発光ダイオード）７０１を有しており、スタンバイ状態において、ＬＥＤを点灯（発光）させる。駆動発光部１０４において、ミュート部１０２の各トランジスタを駆動するためのトランジスタＱ４２２に電流を流す抵抗Ｒ４２３と、スタンバイ状態においてＬＥＤ７０１を発光させるためにＬＥＤ７０１に電流を流す抵抗Ｒ４２３が共通化されている。すなわち、ＬＥＤ７０１を点灯させる電流を利用して、トランジスタＱ４２２を動作させる。その結果、スタンバイ状態における消費電力を、従来に比べて低減することができる。
【００２３】
具体的には、トランジスタＱ４２２のエミッタは、ＬＥＤ７０１のカソードに接続され、コンデンサＣ４２３を介して接地され、かつ、ダイオードＤ４２２のカソードに接続されてダイオードＤ４２２を介してメイン電源回路１０７からの電圧＋ＶＣＣが供給される。トランジスタＱ４２２のコレクタは、抵抗Ｒ４２３及びコンデンサＣ４２２を介して接地されており、抵抗Ｒ４２３とコンデンサＣ４２２との接続点が駆動発光部１０４の出力端となって、ミュート部１０２の各トランジスタのベースに接続されている。トランジスタＱ４２２のベースは、トランジスタＱ４２２を駆動するためのトランジスタＱ４２１のコレクタに接続されている。ＬＥＤ７０１のアノードは、マイコン１０５のＬＥＤ端子に接続されている。トランジスタＱ４２１のエミッタは接地され、ベースはコンデンサＣ４２１を介して接地され、かつ、抵抗Ｒ４２２の一方端に接続されている。抵抗Ｒ４２２の他方端は、マイコン１０５のミュート端子に接続され、かつ、抵抗Ｒ４２１を介してスタンバイ電源回路１０６に接続されている。
【００２４】
マイコン１０５は、駆動発光部１０４に対して、ミュート部１０２をミュート状態にするための制御信号、及び、ＬＥＤ７０１を発光させるための制御信号を供給する。詳細には、マイコン１０５は、ミュート端子からトランジスタＱ４２１のベースに、ミュート部１０２をミュート状態にするための信号を供給する。すなわち、ミュート端子からの信号がローレベルの時に、トランジスタＱ４２１、Ｑ４２２がオフ状態になり、その結果、ミュート部１０２の各トランジスタのベース電圧は導通開始電圧未満となり、オフ状態になる。一方、ミュート端子からの信号がハイレベルの時に、トランジスタＱ４２１、Ｑ４２２がオン状態になり、その結果、ミュート部１０２の各トランジスタは、ベースにメイン電源回路１０７又はＬＥＤ端子からのハイレベルの電圧が供給され、オン状態になる。また、マイコン１０５は、ＬＥＤ端子から、ＬＥＤ７０１のアノードにＬＥＤを発光させるための信号を供給する。すなわち、ＬＥＤ端子からの信号がハイレレベルの時に、アノード電位が高くなり、ＬＥＤ７０１に電流が流れて、ＬＥＤ７０１が発光する。一方、ＬＥＤ端子からの信号がローレベルの時に、アノード電位が低くなり、ＬＥＤが発光しなくなる。
【００２５】
以上の構成を有するオーディオ装置１００についてその動作を説明する。図２は、オーディオ装置１００の動作を説明するタイムチャートである。図２において、（ａ）はスタンバイ電源回路１０６の電圧、（ｂ）はマイコン１０５のリセット（ローレベルはリセット未完を、ハイレベルはリセット完を示す）、（ｃ）はミュート端子の電圧、（ｄ）はトランジスタＱ４２２のエミッタ電圧、（ｅ）はミュート部１０２の各トランジスタのベース電圧、（ｆ）はＬＥＤ端子の電圧をそれぞれ示す。
【００２６】
まず、時刻ｔ１〜ｔ２について説明する。ｔ１においてオーディオ装置１００のＡＣコードのプラグをコンセントに挿入すると、この時点ではメイン電源回路１０７は動作を開始しないが、スタンバイ電源回路１０６が動作を開始し、スタンバイ電源回路１０６からの電圧が上昇する（ａ）。マイコン１０５はリセット動作中でリセット完了しておらず（ｂ）、ミュート端子はハイインピーダンスとされており、そのためミュート端子の電圧はスタンバイ電源回路１０６からの電圧に抵抗Ｒ４２１を介してプルアップされており、徐々に上昇する（ｃ）。また、ＬＥＤ端子からも電圧が出力されていない（ｆ）。トランジスタＱ４２２のエミッタには、ＬＥＤ端子から電圧が供給されていないので（ｄ）、トランジスタＱ４２２はオフ状態になっている。従って、ミュート部１０２の各トランジスタのベース電圧は０Ｖになっており（ｅ）、各トランジスタはオフ状態であり、ミュート解除状態になっている。
【００２７】
次に、時刻ｔ２〜ｔ３（スタンバイ状態）について説明する。ｔ２になると、マイコン１０５がリセットを完了し（ｂ）、ＬＥＤ端子からハイレベルの信号を出力する（ｆ）。ＬＥＤ７０１は、ハイレベルの信号により電流が流れ、両端に電圧が発生し、発光する。ミュート端子は、ハイインピーダンスの状態が解除され、ハイレベルの信号を出力するようになる。トランジスタＱ４２１は、ベースにミュート端子からハイレベルの電圧が供給され、オン状態となる。トランジスタＱ４２２は、ベース電位が接地電位となり、エミッタにＬＥＤ端子からのハイレベルの電圧が供給され（ｆ）、オン状態となる。従って、ミュート部１０２の各トランジスタのベース電圧はトランジスタＱ４２２のオンに伴い上昇し（ｅ）、ミュート部１０２の各トランジスタはオン状態になり、ミュート状態になる。
【００２８】
次に、時刻ｔ３〜ｔ４（電源オン状態）について説明する。ｔ３にユーザ操作によってスタンバイ状態から電源オン状態にされると、トランジスタＱ４２２のエミッタにメイン電源回路１０７から電圧＋ＶＣＣがダイオードＤ４２２を介して供給されるようになり、エミッタ電圧は電圧＋ＶＣＣまで上昇する（ｄ）。ＬＥＤ７０１は、ＬＥＤ端子の電圧がローレベルに反転し（ｆ）、カソード電位がアノード電位よりも高くなることにより、電流が流れなくなり、発光しなくなる。マイコン１０５のミュート端子からはハイレベルが供給され続けているので、トランジスタＱ４２１、Ｑ４２２はオン状態を維持し、ミュート部１０２の各トランジスタもオン状態を維持して、ミュート状態が維持される。従って、スタンバイ状態から電源オン状態に移行する際に発生するノイズが音声としてスピーカーから出力されることを防止できる。
【００２９】
次に、時刻ｔ４〜ｔ５（ミュート解除状態）について説明する。ｔ４になると、ミュート解除状態とし音声をスピーカーから出力するために、マイコン１０５のミュート端子からの信号がハイレベルからローレベルに反転する（ｃ）。これにより、トランジスタＱ４２１はオフ状になり、トランジスタＱ４２２もオフ状態となる。その結果、ミュート部１０２の各トランジスタのベース電圧は導通開始電圧未満に低下して、各トランジスタはオフ状態になる。従って、ミュート部１０２がミュート解除状態になる。
【００３０】
次に、時刻ｔ５〜ｔ７（セレクタ切換）について説明する。ユーザ操作によって、ｔ５〜ｔ６間にセレクタの切換処理が実行されるとする。セレクタは複数の入力信号の中から１つの入力信号を選択するものであり、セレクタの切換時にもノイズが発生するので、ミュート部１０２をミュート状態にする必要がある。ｔ５において、マイコン１０５は、ユーザ操作によるセレクタの切換指示に応じて、ミュート端子からの制御信号をハイレベルに反転させる（ｃ）。これにより、トランジスタＱ４２１、Ｑ４２２はオン状態になり、ミュート部１０２の各トランジスタのベース電圧が上昇して（ｅ）、ミュート部１０２の各トランジスタはオン状態となり、ミュート状態になる。一方、ｔ６において、マイコン１０５は、ミュート端子からの信号をローレベルに反転させる（ｃ）。これにより、トランジスタＱ４２１、Ｑ４２２はオフ状態になり、ミュート部１０２の各トランジスタのベース電圧が導通開始電圧未満になり、ミュート部１０２の各トランジスタはオフ状態となり、ミュート解除状態になる。
【００３１】
次に、時刻ｔ７〜ｔ８（スタンバイ状態）について説明する。ｔ７においてユーザ操作によって電源オン状態からスタンバイ状態にされると、ミュート状態にするために、マイコン１０５は、ミュート端子からの制御信号をハイレベルに反転させる（ｃ）。また、マイコン１０５は、ＬＥＤ端子からの信号をハイレベルに反転させる（ｆ）。メイン電源回路１０７から電圧が供給されなくなるので、トランジスタＱ４２２のエミッタ電圧は、マイコン１０５のＬＥＤ端子から供給される電圧となり、電圧が低下する（ｄ）。トランジスタＱ４２１、Ｑ４２２はオン状態となり、ミュート部１０２の各トランジスタのベース電圧が上昇して（ｅ）、ミュート部１０２の各トランジスタはオン状態となり、ミュート状態になる。また、ＬＥＤ７０１は、ＬＥＤ端子からのハイレベルの電圧（ｆ）により電流が流れて発光する。
【００３２】
次に、時刻ｔ８〜ｔ１０については、時刻ｔ３〜ｔ５と同様であり、ｔ８で再びスタンバイ状態から電源オン状態とされ、ｔ９でミュート解除状態とされる。
【００３３】
次に、時刻ｔ１０〜ｔ１２（電源オフ状態）について説明する。ｔ１０においてオーディオ装置１００のＡＣコードのプラグがコンセントから抜かれると、マイコン１０５は、周知の手段で停電検出を行い、ミュート端子をハイインピーダンスにする（ｃ）。従って、ミュート端子の電圧は、抵抗Ｒ４２１によってプルアップされ、スタンバイ電源回路１０６からの電圧から抵抗Ｒ４２１の電圧降下分を減算した値になる。これにより、トランジスタＱ４２１、Ｑ４２２はオン状態となり、ミュート部１０２の各トランジスタのベース電圧が上昇して（ｅ）、ミュート部１０２の各トランジスタはオン状態となり、ミュート状態になる。プラグが抜かれると商用交流電源が供給されなくなるが、メイン電源回路１０７及びスタンバイ電源回路１０６からは未だ所定値以上の電圧が供給されるので、ミュート状態にすることができる。
【００３４】
ｔ１１になると、メイン電源回路１０７及びスタンバイ電源回路１０６からの電圧が減少する（ａ）。従って、スタンバイ電源回路１０６の電圧減少に伴い、ミュート端子の電圧も低下する（ｃ）。トランジスタＱ４２２のエミッタには、メイン電源回路１０７から十分な電圧が供給されなくなるが、コンデンサＣ４２３の充電電圧によって一定電圧が供給される。その結果、ｔ１２まで、トランジスタＱ４２１、Ｑ４２２のオン状態が維持され、ミュート部１０２の各トランジスタがオン状態を維持し、ミュート状態が維持される。従って、プラグが引き抜かれた際のノイズがスピーカーから出力されることを防止できる。
【００３５】
ｔ１２になると、コンデンサＣ４２３の電圧の減少によって、トランジスタＱ４２３のエミッタ電圧が減少する（ｄ）。その後、ある瞬間で、ミュート端子の電圧がトランジスタＱ４２３のオン電圧未満になるか、Ｑ４２２のエミッタ電圧低下によって、トランジスタＱ４２１およびＱ４２２がオフ状態になる。その結果、ミュート部１０２の各トランジスタのベース電圧が導通開始電圧未満になり、各トランジスタがオフ状態になり、ミュート解除状態になる。
【００３６】
以上のように、本例では、スタンバイ状態においては、ＬＥＤ７０１を発光するための電圧でトランジスタＱ４２２のエミッタ電圧を供給しており、トランジスタＱ４２２に電流を流す抵抗と、ＬＥＤ７０１に電流を流す抵抗とを抵抗Ｒ４２３で兼用しているので、スタンバイ時の消費電力を低減できる。
【００３７】
［実施例２］
図３は、本実施形態におけるオーディオ装置２００を示す要部回路図であり、図１のオーディオ装置１００と比較して、駆動発光部２０４のみが異なっている。図１のオーディオ回路１００では、電源オン状態からスタンバイ状態とされたときに、コンデンサＣ４２３の充電電圧がある程度放電されるまで、ＬＥＤ７０１のアノード電位がカソード電位よりも低い状態が続き、ＬＥＤ７０１が発光するまでに多少の時間がかかるという問題がある。そこで、本例では、駆動発光部２０４において、ＬＥＤ７０１のカソードにコンデンサＣ４２３を直接接続しないように構成することで、この問題を解決するものである。
【００３８】
駆動発光部２０４は、マイコン１０５のＬＥＤ端子からの制御信号に応じてオンオフ動作することにより、ＬＥＤ７０１及びミュート部１０２の各トランジスタのベースにスタンバイ電源回路１０６からの電圧を供給するか否かを切り換えるトランジスタＱ４２３をさらに有する。
【００３９】
駆動発光部２０４の接続構成を説明すると、トランジスタＱ４２２のエミッタは、コンデンサＣ４２３を介して接地され、ダイオードＤ４２２を介してメイン電源回路１０７からの電圧＋ＶＣＣが供給される。トランジスタＱ４２２のコレクタは、抵抗Ｒ４２３及びコンデンサＣ４２２を介して接地されており、抵抗Ｒ４２３とコンデンサＣ４２２との接続点は、ミュート部１０２の各トランジスタのベース、及び、ＬＥＤ７０１のカソードに接続されている。トランジスタＱ４２２のベースは、トランジスタＱ４２２を駆動するためのトランジスタＱ４２１のコレクタに接続されている。ＬＥＤ７０１のアノードは、トランジスタＱ４２３のコレクタに接続されている。トランジスタＱ４２３は、ベースがマイコン１０５のＬＥＤ端子に接続され、エミッタがスタンバイ電源回路１０６に接続されている。トランジスタＱ４２１は、エミッタが接地され、ベースがコンデンサＣ４２１を介して接地され、かつ、抵抗Ｒ４２２の一方端に接続されている。抵抗Ｒ４２２の他方端は、マイコン１０５のミュート端子に接続され、かつ、抵抗Ｒ４２１を介してスタンバイ電源回路１０６に接続されている。
【００４０】
以上の構成を有するオーディオ装置２００についてその動作を説明する。図４は、オーディオ装置２００の動作を説明するタイムチャートである。図４において、（ａ）はスタンバイ電源回路１０６の電圧、（ｂ）はマイコン１０５のリセット（ローレベルはリセット未完を、ハイレベルはリセット完を示す）、（ｃ）はミュート端子の電圧、（ｄ）はトランジスタＱ４２２のエミッタ電圧、（ｅ）はミュート部１０２の各トランジスタのベース電圧、（ｆ）はＬＥＤ端子の電圧をそれぞれ示す。まず、時刻ｔ１〜ｔ２について説明する。ｔ１においてオーディオ装置２００のＡＣコードのプラグをコンセントに挿入すると、スタンバイ電源回路１０６が動作を開始し、スタンバイ電源回路１０６からの電圧が上昇する（ａ）。マイコン１０５はリセット完了しておらず（ｂ）、ミュート端子はハイインピーダンスとされており、ミュート端子の電圧は抵抗Ｒ４２１によってプルアップされスタンバイ電源回路１０６の電圧と共に上昇する（ｃ）。また、ＬＥＤ端子からの信号は、ローレベルになっている（ｆ）。トランジスタＱ４２３は、エミッタにスタンバイ電源回路１０６から電圧が供給され、ベースにローレベルが供給されることにより、ある瞬間にオン状態となる。これにより、ＬＥＤ７０１はスタンバイ電源回路１０６からの電圧によって、電流が流れて発光する。また、ミュート部１０２の各トランジスタのベースにスタンバイ電源電圧が供給されるので（ｅ）、ベースエミッタ間電圧が閾値を越えると、各トランジスタがオン状態となり、ミュート状態となる。
【００４１】
次に、時刻ｔ２〜ｔ３（スタンバイ状態）について説明する。ｔ２において、マイコン１０５がリセットを完了し（ｂ）、ミュート端子からハイレベルの信号を出力し（ｃ）、ＬＥＤ端子からローレベルの信号を出力する（ｆ）。トランジスタＱ４２１はオン状態となるが、トランジスタＱ４２２はエミッタに電圧が供給されておらずオフ状態である（ｄ）。しかし、トランジスタＱ４２３がオン状態を継続するので、スタンバイ電源回路１０６からの電圧がＬＥＤ７０１及びミュート部１０２の各トランジスタのベースに供給される。従って、ＬＥＤ７０１が継続して発光し、ミュート部１０２の各トランジスタがオン状態となって、ミュート部１０２がミュート状態を継続する。
【００４２】
次に、時刻ｔ３〜ｔ４（電源オン状態）について説明する。ｔ３にユーザ操作によってスタンバイ状態から電源オン状態にされると、トランジスタＱ４２２のエミッタにメイン電源回路１０７から電圧＋ＶＣＣがダイオードＤ４２２を介して供給されるようになり、エミッタ電圧は電圧＋ＶＣＣ（実際には、ダイオードＤ４２２の電圧降下を減算した値）まで上昇する（ｄ）。マイコン１０５は、ミュート端子及びＬＥＤ端子からハイレベルの信号を出力する（ｃ）、（ｆ）。そのため、トランジスタＱ４２３はオフ状態になり、ＬＥＤ７０１は、電流が流れず、発光しなくなる。マイコン１０５のミュート端子からはハイレベルの電圧が供給され、トランジスタＱ４２２のエミッタに電圧が供給されるので、トランジスタＱ４２１、Ｑ４２２はオン状態となる。これにより、電源オン状態では、ミュート部１０２の各トランジスタは、ベースにメイン電源回路１０７からの電圧が供給され、オン状態を維持し、ミュート部１０２はミュート状態を維持する。従って、スタンバイ状態から電源オン状態に移行する際に発生するノイズがスピーカーから出力されることを防止できる。
【００４３】
次に、時刻ｔ４〜ｔ５（ミュート解除状態）について説明する。ｔ４になると、ミュート解除状態とし音声をスピーカーから出力するために、マイコン１０５のミュート端子からの制御信号がハイレベルからローレベルに反転する（ｃ）。これにより、トランジスタＱ４２１はオフ状態になり、トランジスタＱ４２２もオフ状態となる。ミュート部１０２の各トランジスタのベース電圧は導通開始電圧未満まで低下して（ｅ）、各トランジスタはオフ状態になる。従って、ミュート部１０２がミュート解除状態になる。
【００４４】
次に、時刻ｔ５〜ｔ７（セレクタの切換）について説明する。ユーザ操作によって、ｔ５〜ｔ６間にセレクタの切換処理が実行される。ｔ５において、マイコン１０５は、ユーザ操作によるセレクタの切換指示に応じて、ミュート端子からの制御信号をハイレベルに反転させる（ｃ）。これにより、トランジスタＱ４２１、Ｑ４２２はオン状態になり、ミュート部１０２の各トランジスタのベース電圧が上昇して（ｅ）、ミュート部１０２の各トランジスタはオン状態となり、ミュート状態になる。一方、ｔ６において、マイコン１０５は、ミュート端子からの制御信号をローレベルに反転させる（ｃ）。これにより、トランジスタＱ４２１、Ｑ４２２はオフ状態になり、ミュート部１０２の各トランジスタのベース電圧が導通開始電圧未満になり（ｅ）、ミュート部１０２の各トランジスタはオフ状態となり、ミュート解除状態になる。
【００４５】
次に、時刻ｔ７〜ｔ８（スタンバイ状態）について説明する。ｔ７においてユーザ操作によって電源オン状態からスタンバイ状態にされると、ミュート状態にするために、マイコン１０５は、ＬＥＤ端子からの信号をローレベルに反転させる（ｆ）。なお、ミュート端子からの信号はローレベルのままであり（ｃ）、トランジスタＱ４２１、Ｑ４２２はオフ状態を維持する。トランジスタＱ４２３はオン状態になり、スタンバイ電源回路１０６からの電圧がミュート部１０２の各トランジスタのベースに供給され（ｅ）、ミュート部１０２の各トランジスタはオン状態となり、ミュート部１０２はミュート状態になる。また、ＬＥＤ７０１は、スタンバイ電源回路１０６からの電圧によって電流が流れて発光する。
【００４６】
次に、時刻ｔ８〜ｔ１０については、時刻ｔ３〜ｔ５と同様であり、ｔ８で再びスタンバイ状態から電源オン状態とされ、ｔ９でミュート解除状態とされる。
【００４７】
次に、時刻ｔ１０〜ｔ１２（電源オフ状態）について説明する。ｔ１０においてオーディオ装置２００のＡＣコードのプラグがコンセントから抜かれると、マイコン１０５は、周知の手段で停電検出を行い、ミュート端子がハイインピーダンスになる（ｃ）。ミュート端子の電圧は、抵抗Ｒ４２１によってプルアップされ、スタンバイ電源回路１０６の電圧から抵抗Ｒ４２１の電圧降下を減算した値になる。これにより、トランジスタＱ４２１、Ｑ４２２はオン状態となり、ミュート部１０２の各トランジスタのベース電圧が上昇して（ｅ）、ミュート部１０２の各トランジスタはオン状態となり、ミュート状態になる。すなわち、プラグが抜かれると交流電源電圧が供給されなくなるが、ｔ１１まではメイン電源回路１０７及びスタンバイ電源回路１０６からは未だ一定の電圧が供給されており、ミュート状態にすることができる。
【００４８】
ｔ１１になると、メイン電源回路１０７及びスタンバイ電源回路１０６からの電圧が徐々に減少する（ａ）。スタンバイ電源回路１０６の電圧減少に伴い、ミュート端子の電圧も減少する（ｃ）。トランジスタＱ４２２のエミッタには、メイン電源回路１０７から十分な電圧が供給されなくなるが、コンデンサＣ４２３の充電電圧によってｔ１２までは一定電圧が供給される。その結果、ｔ１２まで、トランジスタＱ４２１、Ｑ４２２のオン状態が維持され、ミュート部１０２の各トランジスタがオン状態を維持し、ミュート状態が維持される。従って、プラグが引き抜かれた際にスピーカーからノイズが出力されることを防止できる。
【００４９】
ｔ１２になると、コンデンサＣ４２３の電圧の減少によって、トランジスタＱ４２３のエミッタ電圧が減少する。その後、ある瞬間で、ミュート端子の電圧がトランジスタＱ４２１のオン電圧未満になるか、Ｑ４２２のエミッタ電圧低下によって、トランジスタＱ４２１およびＱ４２２がオフ状態になる。その結果、ミュート部１０２の各トランジスタのベース電圧が導通開始電圧未満になり、各トランジスタがオフ状態になり、ミュート解除状態になる。
【００５０】
以上のように、本例では、スタンバイ状態においては、スタンバイ電源の電圧によって、ＬＥＤ７０１およびミュート部１０２の各トランジスタのベース電圧が同時に制御される。すなわち、スタンバイ状態においては、ＬＥＤ７０１を発光させる電流でミュート部１０２の各トランジスタをオン状態にしており、抵抗Ｒ４２４で電力が生じているだけであるので、スタンバイ時の消費電力を低減できる。また、ＬＥＤ７０１のカソードは、トランジスタＱ４２２のエミッタに直接接続されていないので、電源オン状態からスタンバイ状態になったときに、ＬＥＤ７０１が発光するまでに時間がかかることを防止できる。
【００５１】
以上、本発明の好ましい実施形態について説明したが、本発明はこれらの実施形態には限定されない。
【産業上の利用可能性】
【００５２】
本発明は、例えばオーディオアンプとして特に好適に採用され得る。
【図面の簡単な説明】
【００５３】
【図１】本発明の実施例１によるオーディオ装置１００を示す概略回路図である。
【図２】実施例１のオーディオ装置１００の動作を示すタイムチャートである。
【図３】本発明の実施例２によるオーディオ装置２００を示す概略回路図である。
【図４】実施例２のオーディオ装置２００の動作を示すタイムチャートである。
【図５】従来のオーディオ装置３００を示す概略回路図である。
【符号の説明】
【００５４】
１００        オーディオ装置
１０１        バッファ部
１０２        ミュート部
１０３        出力部
１０４        駆動発光部
２００        オーディオ装置
２０４        駆動発光部
【図２】
2009089106.tif 000003
【図４】
2009089106.tif 000004
【図１】
2009089106.tif 000005
【図３】
2009089106.tif 000006
【図５】
2009089106.tif 000007